(57)【要約】【課題】シール装置が保持器に干渉しない構成とし、容易で安価に軸受に固定可能なシール装置付き転がり軸受を提供することを目的とする。【解決手段】内輪と、内周面に段部を備え、前記段部に凹溝とを備えた外輪と、前記内外輪間に複数配された転動体と、前記複数の転動体を等間隔に保持する保持器と、シールド板とを備えたシール装置付き転がり軸受において、前記シールド板は円環状の外周縁部に円周状のフランジ部を設け、前記フランジ部の外周面上に弾性体を装着しているとともに、前記フランジ部を前記外輪の段部に圧入固定している。これにより、シールド板と保持器との間に所定の空間が確保できるため、シールド板と保持器との干渉を防止でき、シールド板の容易な固定が可能となる。【選択図】図１
2016098942.tif 000002
【特許請求の範囲】
【請求項１】
内輪と、内周面に段部を備え、前記段部に凹溝とを備えた外輪と、前記内外輪間に複数配された転動体と、前記複数の転動体を等間隔に保持する保持器と、シールド板とを備えたシール装置付き転がり軸受において、前記シールド板は円環状の外周縁部に円周状のフランジ部を設け、前記フランジ部の外周面上に弾性体を装着しているとともに、前記フランジ部を前記段部に圧入固定していることを特徴とするシール装置付き転がり軸受。
【請求項２】
外周面に段部を備え、前記段部に凹溝とを備えた内輪と、外輪と、前記内外輪間に複数配された転動体と、前記複数の転動体を等間隔に保持する保持器と、シールド板とを備えたシール装置付き転がり軸受において、前記シールド板は円環状の内周縁部に円周状のフランジ部を設け、前記フランジ部の内周面上に弾性体を装着しているとともに、前記フランジ部を前記段部に圧入固定していることを特徴とするシール装置付き転がり軸受。
【発明の詳細な説明】
【技術分野】
【０００１】
本発明は、シール装置を備えた転がり軸受に関する。
【背景技術】
【０００２】
従来、図６に示すように、軸受３０は、内輪３１と、内径面に段部３２ａを備える外輪３２と、前記内輪と前記外輪とを相対回転可能にさせる複数の転動体３３と、前記複数の転動体を等間隔に保持する保持器３４とを備えており、軸受外部より異物の侵入を防止するシール装置３５が軸受に一体的に取り付けられている。シール装置３５は、円環状の金属製の芯金３５ａに対して芯金の内径部に弾性体のリップ３５ｂが備えられており、芯金３５ａの外径部３５ｃはＵ字状に折曲されている。この折曲されている芯金の外径部３５ｃを前記外輪の段部３２ａに収容した後、かしめ加工することで、Ｕ字状の外径部３５ｃが拡径して前記段部３２ａに密着することで、シール装置を軸受に一体的に固定していた。（特許文献１）
【先行技術文献】
【特許文献】
【０００３】
【特許文献１】特開２０１３−２５９８号公報
【発明の概要】
【発明が解決しようとする課題】
【０００４】
しかしながら、上記の構成によると、かしめ加工の部位は所定の肉厚が必要になる関係で、外輪段部が軸受軸方向において軸受端部よりオフセットされる。これに合わせてシール装置の芯金の外径部が内径部に対してオフセットするように折曲された形状であるので、保持器と芯金とが干渉する虞が懸念されていた。また、軸受へシール装置を固定するに際しては、かしめ加工を必要としているので組み立て作業が煩雑で軸受の製造コスト増を招いていた。本発明は、上記事情に鑑みてなされたもので、その目的は、シール装置が保持器に干渉しない構成とし、容易で安価に軸受に固定可能なシール装置付き転がり軸受を提供することにある。
【課題を解決するための手段】
【０００５】
前記課題を解決するための第一の発明は、内輪と、内周面に段部を備え、前記段部に凹溝とを備えた外輪と、前記内外輪間に複数配された転動体と、前記複数の転動体を等間隔に保持する保持器と、シールド板とを備えたシール装置付き転がり軸受において、前記シールド板は円環状の外周縁部に円周状のフランジ部を設け、前記フランジ部の外周面上に弾性体を装着しているとともに、前記フランジ部を前記段部に圧入固定していることを特徴とする。
【０００６】
また、第二の発明は、外周面に段部を備え、前記段部に凹溝とを備えた内輪と、外輪と、前記内外輪間に複数配された転動体と、前記複数の転動体を等間隔に保持する保持器と、シールド板とを備えたシール装置付き転がり軸受において、前記シールド板は円環状の内周縁部に円周状のフランジ部を設け、前記フランジ部の内周面上に弾性体を装着しているとともに、前記フランジ部を前記段部に圧入固定していることを特徴とする。
【発明の効果】
【０００７】
本発明によれば、シールド板と内外輪との固定を、かしめ固定せずに圧入固定としたので、かしめスペースを必要とせず、シールド板と保持器との干渉を防止でき、容易な固定が可能となる。
【図面の簡単な説明】
【０００８】
【図１】本発明に係る転がり軸受を分解した断面図である。
【図２】本発明に係る転がり軸受の変形例を分解した断面図である。
【図３】図２の組み立て状態の転がり軸受の断面図である。
【図４】本発明に係る転がり軸受の他の変形例を分解した断面図である。
【図５】本発明に係る転がり軸受の他の変形例を分解した断面図である。
【図６】従来のシール装置付き転がり軸受を示す断面図である。
【発明を実施するための形態】
【０００９】
以下に、本発明の実施形態を図１に基づいて詳細に説明する。転がり軸受１は、内輪２と、内周面に段部３ａを備え、前記段部３ａに凹溝３ｂとを備えた外輪３と、前記内輪と前記外輪間にあって前記内輪と前記外輪とを相対回転させる複数の転動体４と、前記複数の転動体を等間隔に保持する保持器５と、前記内輪と前記外輪間の隙間を封止するとともに、前記段部３ａに固定されたシール装置としてのシールド板６とを備えている。シールド板６は、円環状の金属プレート６ａの外周縁部に円周状にフランジ部６ｂが設けられ、このフランジ部の外周面上には弾性体６ｃが接着剤等で装着されている。前記シールド板を前記外輪に固定する際に、前記フランジ部と前記外輪の段部とで前記弾性体を挟み込むようにして圧入し、前記弾性体が前記段部に設けられた凹溝に収容されることでシールド板が外輪に固定される。この構造によりシールド板と保持器との間に所定の空間が確保できるため、シールド板と保持器との干渉を防止できる。
【００１０】
また、図２、図３に示す外輪固定方式のシールド板の変形例は、前記フランジ部の外周面に円周状に第二の凹溝６ｄを設け、前記第二の凹溝内に弾性体６ｃを嵌合固定する形態がある。この形態により、シールド板の外輪への圧入の際、フランジ部に対する弾性体の位置ずれを抑制できる。
【００１１】
更に、図４に示す他の変形例としては、シールド板１６の内周縁部にフランジ部１６ｂを設け、軸受の内輪の外周面の段部２ａにシールド板を固定した構造がある。このフランジ部１６ｂの内周面上には弾性体１６ｃが接着剤等で装着されている。前記シールド板を前記内輪に固定する際に、前記フランジ部と前記段部２ａとで前記弾性体を挟み込むようにして圧入し、前記弾性体が前記段部２ａに設けられた凹溝２ｂに収容されることでシールド板が内輪に固定される。この構造によりシールド板と保持器との間に所定の空間が確保できるため、シールド板と保持器との干渉を防止できる。
【００１２】
また、図５に示す内輪固定方式のシールド板の変形例として、前記フランジ部の内周面に円周状に第二の凹溝を設け、前記第二の凹溝内に弾性体を嵌合固定する形態がある。この形態により、シールド板の内輪への圧入の際、フランジ部に対する弾性体の位置ずれを抑制できる。
【００１３】
なお、本発明は、前述した実施形態に限定されるものではなく、本発明の要旨を逸脱しない範囲内で適宜な変形、改良等が可能である。
【符号の説明】
【００１４】
１…転がり軸受
２…内輪
３…外輪
４…転動体
５…保持器
６…シールド板
【図１】
2016098942.tif 000003
【図２】
2016098942.tif 000004
【図３】
2016098942.tif 000005
【図４】
2016098942.tif 000006
【図５】
2016098942.tif 000007
【図６】
2016098942.tif 000008